(57)【特許請求の範囲】
【請求項１】
器具を取り付け可能な取り付け基部と、取り付け基部の幅方向両側から９０度屈曲させて延設された壁面取り付け部とが、平板状の板材で形成されており、壁面取り付け部には、その遊端部側を外側に４５度屈曲させて形成された屈曲片が設けられており、屈曲片の内面が、壁面の角部を形成する連続する２つの壁面に沿うように取り付けられることを特徴とする器具取付用ブラケット。
【請求項２】
取り付け基部と、取り付け基部の上方から一体に延設され、取り付け基部に対して前方に傾斜させて設けられる器具装着部と、取り付け基部の幅方向両側から９０度屈曲させて延設された壁面取り付け部とが、平板状の板材で形成されており、壁面取り付け部には、その遊端部側を外側に４５度屈曲させて形成された屈曲片が設けられており、屈曲片の内面が、壁面の角部を形成する連続する２つの壁面に沿うように取り付けられることを特徴とする器具取付用ブラケット。
【発明の詳細な説明】
【０００１】
【発明の属する技術分野】
本発明は、照明器具などを壁面に取り付ける器具取付用ブラケットに関するものである。
【０００２】
【従来の技術】
従来、器具を壁面に取り付ける取付具Ａとしては、図９，図１０に示すように、器具取り付け部Ｂと、該器具取り付け部Ｂの左右両端に延設される薄肉の壁面取り付け部Ｃ，Ｃから構成されたものがある。ここで、壁面取り付け部Ｃ，Ｃの背面部Ｄ，Ｄと、器具取り付け部Ｂの背面部Ｅとは同一平面となるように設けられている。また、壁面取り付け部Ｃ，Ｃには、ネジを挿通させるネジ挿通孔Ｆが２個ずつ設けられている。
【０００３】
このように構成された取付具Ａにより、器具を壁面に取り付けるには、まず、蛍光灯などの照明器具を器具取り付け部Ｂの上面部Ｇに装着したのち、器具取り付け部Ｂおよび壁面取り付け部Ｃ，Ｃの背面部Ｅ，Ｄ，Ｄを壁面に当接させ、壁面取り付け部Ｃ，Ｃに形成したネジ挿通孔Ｆにネジを挿通し、その挿通端部を壁に螺締して、前記取付具Ａを壁面に固定するようにしていた。
【０００４】
【発明が解決しようとする課題】
しかし、上記取付具Ａは、壁面への当接面が面一になっているため、平面状の壁面にしか器具を取り付けることができない。例えば、図１１に示すように、角部を形成する壁面ａに照明器具を取り付ける場合は、通路Ｓ１には照明が届かず、暗いという不具合があった。
【０００５】
また、壁面ａおよび壁面ｂの両方に照明器具を取り付ける場合は、通路Ｓ１，Ｓ２とも照明により明るくなる利点はあるが、２か所に照明器具を取り付けるため、手間もコストもかかるという不具合があった。
【０００６】
本発明は上記問題点に鑑み提案されたもので、壁面の角部に照明器具を取り付けることのできる器具取り付け用ブラケットを提供することを目的としている。
【０００７】
【課題を解決するための手段】
上記目的を達成するために、請求項１記載の発明にかかる器具取付用ブラケットは、
器具を取り付け可能な取り付け基部と、取り付け基部の幅方向両側から９０度屈曲させて延設された壁面取り付け部とが、平板状の板材で形成されており、壁面取り付け部には、その遊端部側を外側に４５度屈曲させて形成された屈曲片が設けられており、屈曲片の内面が、壁面の角部を形成する連続する２つの壁面に沿うように取り付けられることを特徴としている。
【０００８】
また、請求項２記載の発明にかかる器具取付用ブラケットは、取り付け基部と、取り付け基部の上方から一体に延設され、取り付け基部に対して前方に傾斜させて設けられる器具装着部と、取り付け基部の幅方向両側から９０度屈曲させて延設された壁面取り付け部とが、平板状の板材で形成されており、壁面取り付け部には、その遊端部側を外側に４５度屈曲させて形成された屈曲片が設けられており、屈曲片の内面が、壁面の角部を形成する連続する２つの壁面に沿うように取り付けられることを特徴としている。
【０００９】
【発明の実施の形態】
以下に、本発明の実施の形態を図面に基づいて説明する。
【００１０】
図１は、本発明の実施形態の器具取り付け用ブラケットの正面図を示すものである。また、図２は本発明の実施形態の器具取り付け用ブラケットの側面図である。また、図３は図１におけるＸ−Ｘ線断面図である。
【００１１】
図１から図３に示す器具取り付け用ブラケット１は、金属製の板材から形成されたものであり、細長い長方形状をした照明器具取り付け部２２と、照明器具取り付け部２の長手方向一端側の幅方向両端部に設けられる左右一対の壁面取り付け部３とから構成されている。
【００１２】
具体的には、器具取り付け用ブラケット１は、厚さ約５ｍｍの平板から形成されており、幅約５ｃｍ，長さ約３２ｃｍに形成される照明器具取り付け部２と、この照明器具取り付け部２の下端部の幅方向両端から９０°屈曲させて延設された幅６ｃｍ，長さ６ｃｍの壁面取り付け部３とから構成されている。また、壁面取り付け部３には、その遊端側を外側に４５°屈曲させて形成した屈曲片３０を設けて、この屈曲片３０の内面を壁面取り付け面３１とするとともに、この屈曲片３０に直径約５ｍｍの貫通孔４を２個ずつ設けている。さらに、照明器具取り付け部２は、壁面取り付け部３に隣接する取り付け基部２１と、この取り付け基部２１から上方へ延設される器具装着部２２とから形成されている。ここで、器具装着部２２は、前方へ約３０°傾斜させて形成されている。また、図３に示すように、取り付け基部２１の裏面は、図中２点鎖線で示す壁面の角部Ｐと所定間隔離間した位置に配設されるようになっている。
【００１３】
上記のように構成された器具取り付け用ブラケット１を使用する場合を、次に説明する。
【００１４】
前記器具取り付け用ブラケット１は、主に一般家屋の外壁や塀など屋外の構造物の壁面角部を使用の対象としている。つまり、不特定多数の人が行き来する道路の曲がり角付近を、１つの照明器具で効果的に照明することを目的としたものである。
【００１５】
図４は、器具取り付け用ブラケット１を用いて、照明器具を壁面角部に取り付けた状態を示している。まず、照明器具取り付け部２の器具装着部２２に、直管の蛍光灯などの細長い形状をした照明器具５を取り付ける。次に、壁面の角部Ｐを形成する連続した２つの壁面Ｔ１，Ｔ２に、屈曲片３０の壁面取り付け面３１をそれぞれ当接する。そして、前記屈曲片３０に設けられた貫通孔４にネジを挿通し、その挿通端部を壁に螺締して、前記壁面取り付け部３を壁面Ｔ１，Ｔ２に固定する。
【００１６】
このようにして、照明器具５は、器具取り付け用ブラケット１を用いて屋外の構造物壁面の角部に取り付けられる。したがって、夜間見通しの悪い曲がり角において、曲がり角を形成する２つの道路の両方を、一個の照明器具５により照らすことができる。
【００１７】
なお、前記実施の形態では、照明が道路広域に届くように、前記照明器具取り付け部２を前方に３０°傾斜させて形成したが、傾斜角度はこれに限らず、用途に応じて角度を変えて成形してもよい。
【００１８】
また、器具取り付け用ブラケットは、一枚の板で一体に形成するのではなくて、前記照明器具取り付け部２と前記壁面取り付け部３とを別部材で形成し、前記照明器具取り付け部２の背面に前記壁面取り付け部３を溶接により固定するようにしてもよい。
【００１９】
さらに、器具取り付け用ブラケット１を、壁面Ｔ１，Ｔ２に固定させる手段は、ネジに限らず接着剤による接着でもよい。
【００２０】
また、器具取り付け用ブラケット１の材質は金属に限らず、プラスチックでもよい。
【００２１】
なお、器具取り付け用ブラケット１を使用する場所は、屋外に限らず屋内で使用してもよい。
【００２２】
また、器具取り付け用ブラケット１は照明器具に限らず、図５に示すように、防犯カメラ６等、壁面に取り付ける器具に適用できる。
【００２３】
次に、第２の実施の形態を、図６，図７に示す。図６，図７に示す器具取り付け用ブラケット１には、前記第１の実施の形態における器具装着部２２を設けずに、取り付け基部２１に直接器具を取り付けるようにしている。それ以外は前記第１の実施の形態と同様の構成である。
【００２４】
上記のように構成された器具取り付け用ブラケット１を使用する場合を、次に説明する。
【００２５】
図８は、２個の器具取り付け用ブラケット１を用いて、照明器具５を壁面角部に取り付けた状態を示している。まず、直管の蛍光灯などの細長い形状をした照明器具５の長手方向一端に、１個の器具取り付け用ブラケット１の取り付け基部２１を取り付ける。同様にして、照明器具５の他端に、もう１個の器具取り付け用ブラケット１を取り付ける。そして、壁面の角部を形成する連続した２つの壁面Ｔ３，Ｔ４のそれぞれに、屈曲片３０の壁面取り付け面３１を当接させる。そして、前記屈曲片３０に設けられた貫通孔４にネジを挿通し、その挿通端部を壁に螺締して、前記壁面取り付け部３を壁面Ｔ３，Ｔ４に固定する。
【００２６】
このような取り付け方法に取り付けられた照明器具は、取り付けが簡単であるとともに、コンパクトで場所をとらず、かつ美観に優れるので、屋外での使用だけでなく屋内での使用にも適している。
【００２７】
特に、不特定多数の人々が行き来する、旅館やホテルなどの廊下，階段の曲がり角付近には、好適である。
【００２８】
なお、上記実施の形態では、器具取り付け用ブラケット１を２個用いたが、個数はこれに限らずともよく、使用する照明器具の長さに応じて、適宜複数個用いてよい。
【００２９】
【発明の効果】
請求項１記載の発明の器具取付用ブラケットによれば、器具を取り付け可能な取り付け基部と、取り付け基部の幅方向両側から９０度屈曲させて延設された壁面取り付け部とが、平板状の板材で形成されており、壁面取り付け部には、その遊端部側を外側に４５度屈曲させて形成された屈曲片が設けられており、屈曲片の内面が、壁面の角部を形成する連続する２つの壁面に沿うように取り付けられることを特徴とするものであるので、
壁面の角部に器具を取り付けることができる。したがって、例えば、取り付け基部に照明器具を取り付けた場合には、見通しの悪い曲がり角において、曲がり角を形成する２つの道路の両方を一個の照明器具により照らすことができる。また、構造が簡単で、成形が容易であり、部品点数が少ないのでコストを低減できる。さらに、壁面取り付け部の屈曲角度を変えれば、壁面形成角度が異なる壁面の角部に取り付けることができるので、取り付け性もよい。
【００３０】
請求項２記載の発明の器具取付用ブラケットによれば、取り付け基部と、取り付け基部の上方から一体に延設され、取り付け基部に対して前方に傾斜させて設けられる器具装着部と、取り付け基部の幅方向両側から９０度屈曲させて延設された壁面取り付け部とが、平板状の板材で形成されており、壁面取り付け部には、その遊端部側を外側に４５度屈曲させて形成された屈曲片が設けられており、屈曲片の内面が、壁面の角部を形成する連続する２つの壁面に沿うように取り付けられることを特徴とするものであるので、
請求項１の発明の効果に加えて、壁面に対して器具を前方に傾斜配置させることができる。したがって、例えば、器具が照明器具である場合には、照明を道路広域に届かせることができる。
【００３１】
【図面の簡単な説明】
【図１】本発明の１実施形態の器具取り付け用ブラケットの正面図である。
【図２】本発明の１実施形態の器具取り付け用ブラケットの側面図である。
【図３】図１におけるＸ−Ｘ線断面図である。
【図４】本発明の１実施形態の器具取り付け用ブラケットに照明器具を取り付けた場合の使用例図である。
【図５】本発明の１実施形態の器具取り付け用ブラケットに防犯カメラを取り付けた場合の使用例図である。
【図６】本発明の第２の実施形態の器具取り付け用ブラケットの正面図である。
【図７】図６におけるＹ−Ｙ線断面図である。
【図８】本発明の第２の実施形態の器具取り付け用ブラケットに照明器具を取り付けた場合の使用例図である。
【図９】従来の器具取付具の正面図である。
【図１０】図９におけるＺ−Ｚ断面図である。
【図１１】従来の器具取付具を使用して照明器具を取り付けた状態の説明図
【符号の説明】
１    器具取り付け用ブラケット
２    照明器具取り付け部
２１  取り付け基部
２２  器具装着部
３    壁面取り付け部
３０  屈曲片
３１  壁面取り付け面
４    貫通孔
【図１】
0003706771.tif 000002
【図２】
0003706771.tif 000003
【図３】
0003706771.tif 000004
【図４】
0003706771.tif 000005
【図５】
0003706771.tif 000006
【図６】
0003706771.tif 000007
【図７】
0003706771.tif 000008
【図８】
0003706771.tif 000009
【図９】
0003706771.tif 000010
【図１０】
0003706771.tif 000011
【図１１】
0003706771.tif 000012